(57)【要約】【課題】デッドホールド性が低い基材を用いても、開口部を露出したままの状態に維持できる蓋材を提供する。【解決手段】容器の開口部を塞ぐための蓋材５０であって、紙材を用いた基材層１と、樹脂フィルム２と、容器へ接着するためのシーラント層３とを有する積層構造体を用いて構成され、周縁部に設けられた開封用タブ５０ａと、開封方向に略平行な２本の直線部とこれらを結び開封方向とは逆方向に凸の曲げ部とからなる表ハーフカット２０ａ、２０ｂによって三方を囲まれた残留部３０ａ、３０ｂとを有し、残留部３０ａ、３０ｂは、その一部が容器のフランジ上にかかるように、開封用タブの両脇に少なくとも一つずつ設けられ、表ハーフカット２０ａ、２０ｂは、フランジ上にかかる部分の少なくとも一部では、シーラント層３側から切り込まれた裏ハーフカット４０ａ、４０ｂとなっているか又は代わりにフルカット６０ａ、６０ｂが形成されている。【選択図】図２
2008150065.tif 000002
【特許請求の範囲】
【請求項１】
容器の開口部を塞ぐための蓋材であって、
紙材を用いた基材層と、前記容器へ接着するためのシーラント層とを少なくとも有する積層構造体を用いて構成され、
周縁部に設けられた開封用タブと、
開封方向に略平行な２本の直線部とこれらを結び前記開封方向とは逆方向に凸の曲げ部とからなるハーフカットによって三方を囲まれた残留部とを有し、
前記残留部は、その一部が前記容器のフランジ上にかかるように、前記開封用タブの両脇に少なくとも一つずつ設けられ、
前記ハーフカットは、前記フランジ上にかかる部分の少なくとも一部では、前記シーラント層側から切り込まれるか又は代わりにフルカットが形成されていることを特徴とする蓋材。
【請求項２】
前記各ハーフカットの直線部の終端近傍に、前記開封方向に凸となる曲率を有するように切断防止用ハーフカットが形成されたことを特徴とする請求項１記載の蓋材。
【請求項３】
前記容器のフランジから張り出す張出部を前記開封用タブの両側に備え、前記曲げ部の一部が該張出部において前記フランジからはみ出るように形成されたことを特徴とする請求項１又は２記載の蓋材。
【請求項４】
前記曲げ部が前記２本の直線部の間隔よりも幅広に膨らむように形成されたことを特徴とする請求項３記載の蓋材。
【請求項５】
前記開封用タブと前記開封方向に対向する位置に、前記容器開口部から取り外すための取り外しタブを備えることを特徴とする請求項１から４のいずれか１項記載の蓋材。
【請求項６】
前記積層構造体は、アルミ箔を含まずに構成されていることを特徴とする請求項１から５のいずれか１項記載の蓋材。
【請求項７】
前記紙材の坪量が、６４〜１００ｇ／ｍ2であることを特徴とする請求項１から６のいずれか１項記載の蓋材。
【発明の詳細な説明】
【技術分野】
【０００１】
本発明は、容器の開口部を封止する蓋材に関し、特に、材料としてアルミ箔を用いなくとも開封した際に容器の開口部を露出した状態で保持できる蓋材に関する。
【背景技術】
【０００２】
従来、容器の開口部を封止する蓋材としてはアルミ箔層を含んだ積層構造体を用いた蓋材が広く用いられている。
アルミ箔層を含んだ積層構造体は、遮光性やガスバリア性が高いだけではなく、形状維持性にも優れるためである。
【０００３】
例えば、容器に収容された乾燥食品を調理する場合、蓋を部分的に開いて容器内に湯を注ぎ、再び開口部を蓋材で概ね塞いで所定時間待つという作業を行う必要がある。
このような調理の際には、開口部が露出したままの形状で蓋材が維持されなければ、容器内に湯を注ぎにくい。また、開口部を再び概ね塞いだままの形状に蓋材が維持されなければ、容器と蓋との隙間から水蒸気が漏れ、調理が不完全になってしまう。
【０００４】
近年、環境保護の観点からゴミの分別が要求されており、蓋材としてもアルミ箔を含まない構成とすることが求められている。
【０００５】
しかし、従来のアルミ箔を含まない構成の蓋材は、形状維持性が不十分であり、デッドホールド性が低くて開口部が露出したままの形状に蓋材を維持できないか、デッドホールド性が高くて開口部を概ね塞いだ状態に蓋材を維持できないといったいずれかの問題が基材の種類に応じて発生する。
【０００６】
デッドホールド性が低い基材を用い、開口部を露出したままの形状を維持できる蓋材に関する従来技術としては、特許文献１に開示される「食品容器用蓋材」がある。
特許文献１に開示される発明は、蓋材の層構成中に、少なくとも、重量平均繊維長さが１．５ｍｍ以上の紙層を設けることで、開口部を露出した形状に維持するものである。
【特許文献１】特開２００４−７５１３１号公報
【発明の開示】
【発明が解決しようとする課題】
【０００７】
特許文献１に開示される発明は、蓋材の層構成に工夫を凝らしているものの、その形状については何ら開示していない。このため、蓋材の材料となる積層体の剛性が高い場合には、蓋材の形状によっては開口部を露出した状態に保持しにくくなる。
【０００８】
本発明はかかる問題に鑑みてなされたものであり、デッドホールド性（開口した際にめくれあがる性質）が低い基材を用いても、開口部を露出したままの状態に維持できる蓋材を提供することを目的とする。
【課題を解決するための手段】
【０００９】
上記目的を達成するため、本発明は、第１の態様として、容器の開口部を塞ぐための蓋材であって、紙材を用いた基材層と、容器へ接着するためのシーラント層とを少なくとも有する積層構造体を用いて構成され、周縁部に設けられた開封用タブと、開封方向に略平行な２本の直線部とこれらを結び開封方向とは逆方向に凸の曲げ部とからなるハーフカットによって三方を囲まれた残留部とを有し、残留部は、その一部が容器のフランジ上にかかるように、開封用タブの両脇に少なくとも一つずつ設けられ、ハーフカットは、フランジ上にかかる部分の少なくとも一部では、シーラント層側から切り込まれるか又は代わりにフルカットが形成されていることを特徴とする蓋材を提供するものである。
【００１０】
本発明の第１の態様においては、各ハーフカットの直線部の終端近傍に、開封方向に凸となる曲率を有するように切断防止用ハーフカットが形成されることが好ましい。また、容器のフランジから張り出す張出部を開封用タブの両側に備え、曲げ部の一部が該張出部においてフランジからはみ出るように形成されることが好ましく、これに加えて、曲げ部が２本の直線部の間隔よりも幅広に膨らむように形成されることがより好ましい。また、開封用タブと開封方向に対向する位置に、容器開口部から取り外すための取り外しタブを備えることが好ましい。また、積層構造体は、アルミ箔を含まずに構成されることが好ましい。また、紙材の坪量が、６４〜１００ｇ／ｍ2であることが好ましい。
【発明の効果】
【００１１】
本発明によれば、デッドホールド性が低い基材を用いても、開口部を露出したままの状態に維持できる蓋材を提供できる。
【発明を実施するための最良の形態】
【００１２】
本発明の好適な実施の形態について説明する。
図１に、本発明にかかる蓋材の基となる積層構造体の構成を示す。この積層構造体は、基材１、樹脂フィルム２、シーラント層３を有する。
基材１は、積層構造体に蓋材として十分な強度を持たせたり、図柄を印刷するための層であり、少なくとも紙を含む公知の材料（アルミを除く）を単独または積層して適用可能である。樹脂フィルム２は、積層構造体にガスバリア性や耐水性を付与するための層であり、ポリエチレン系樹脂フィルムなどの公知の材料を適用可能である。なお、基材１の最下層がガスバリア性や耐水性を有する材料（ＰＥＴ樹脂など）で形成されている場合には、樹脂フィルム層２は備えていなくても良い。樹脂フィルム２の少なくとも一方の面（樹脂フィルム２を備えない構成の場合には基材１の最下層の少なくとも一方の面）には不透明のインキを塗布して蓋材５０の遮光性を高めることが好ましい。シーラント層３は、容器のフランジに熱接着（ヒートシール）するための層である。シーラント層３は公知の材料を用いて形成可能でであるが、材料の種類は、樹脂フィルム２（これを備えない場合は基材１の最下層）の材料と容器開口部のフランジ部の材料とに応じて選定する。
【００１３】
積層構造体の所定の位置に形成される表ハーフカット２０は、積層構造体の表面の基材１から樹脂フィルム２の途中（樹脂フィルム２を備えない場合には、基材１の最下層）まで達するような積層構造体を貫通しない切り込みである。また、裏ハーフカット４０は、積層構造体の裏面のシーラント層３から樹脂フィルムの途中（樹脂フィルムを備えない場合には、基材１の最下層）まで到達するような積層構造体を貫通しない切り込むである。さらに、フルカット６０は、積層構造体を貫通する切り込みである。
【００１４】
基材１０の原料として紙を用いることにより、表ハーフカット２０に沿って蓋材５０が剪断される際に基材１０がしごかれて剛性が低下し、容器開口部が露出した状態をより維持しやすくなる。紙材の中でも、さらしクラフト紙を用いると、しごきによる剛性低下の効果をコート紙などよりも顕著に得られるため特に好ましい。紙材の坪量は、低すぎると蓋材５０の強度が不足し、高すぎると剛性が高すぎて容器開口部が露出した状態に維持しにくくなる。坪量が６４〜１００ｇ／ｍ2であると、しごきによる剛性低下によって容器開口部が露出した状態に維持可能であり、かつ、蓋材５０としての強度も確保できる。
【００１５】
また、樹脂フィルム２としては、一軸延伸フィルムを用いて開封方向に引き裂き性を付与すると、表ハーフカット２０に沿って蓋材５０が破断しやすくなるため好ましい。一軸延伸フィルムとしては、ＰＥＴフィルムが特に好ましい。
【００１６】
基材１として紙、樹脂フィルム２としてＰＥＴフィルムを用いる場合には、基材１と樹脂フィルム２とをドライラミネート又はポリエチレンによる押出ラミネートし、その後シーラントフィルムをドライラミネートしてシーラント層３を形成すればよい。
【００１７】
以下、上記構造の積層構造体を用いた本発明の好適な実施の形態について説明する。
【００１８】
〔第１の実施形態〕
図２に、本発明を好適に実施した第１の実施形態にかかる蓋材の構成を示す。
蓋材５０は、周縁部の開封の起点となる位置に開封タブ５０ａを備えている。開封タブ５０ａの両脇には表ハーフカット２０ａ及び２０ｂがそれぞれ設けられている。表ハーフカット２０ａ及び２０ｂは、２本の直線部とこれらを結ぶ湾曲部とからなる略Ｕ字形状であり、湾曲部は開封開始側に位置し外側に凸（開封方向と逆方向に凸）となっている。図示するように、表ハーフカット２０ａ、２０ｂの少なくとも一部は容器のフランジの上にかかっており、フランジにかかる部分では表ハーフカットの代わりにフルカット６０ａ、６０ｂ（又は裏ハーフカット４０ａ、４０ｂ）が形成されている。フルカット６０ａ、６０ｂ又は裏ハーフカット４０ａ、４０ｂは、フランジにかかる部分の表ハーフカット全体ではなく開封方向上流側の一部のみを置き換えても良い。ここでは表ハーフカット２０ａ、２０ｂを設ける場合を例とするが、これらは裏ハーフカットであっても良い。この場合にはフランジにかかる部分に代わりにフルカット６０ａ、６０ｂを形成しても良いし、裏ハーフカットのままとしても良い。
また、図３に示すように、湾曲部の代わりに屈曲部を設けて２本の直線部を結んでも良い。直線部の終端は、蓋材５０の中心よりも開封方向の奥側（開封タブ５０ａの反対側）に位置している（換言すると、表ハーフカット２０ａ、２０ｂは、蓋材５０の中心よりも開封方向の奥側）にまで切り込まれている。
なお、表ハーフカット２０ａ及び２０ｂで囲まれた領域（それぞれの直線部と湾曲部とで囲まれた領域）をそれぞれ残留部３０ａ、３０ｂと称する。
【００１９】
表ハーフカット２０ａと２０ｂとの間隔は、容器のフランジの外径の６０％以上とすることが好ましい。例えば、容器の外径が９６ｍｍの場合には、表ハーフカット２０ａと２０ｂとの間隔を６０ｍｍとすれば、容器内に湯を注いだり、容器内容物を取り出したりするのに十分な大きさの開口部を形成できる。
また、表ハーフカット２０ａ、２０ｂのそれぞれについて、直線部同士の間隔（残留部３０ａ、３０ｂの幅）は、開封時に残留部が破断しないだけの強度を維持できる寸法とする。これは、蓋材５０の材料による設計事項となるが、どのような材料を用いるにしろ１ｍｍ以上とすることが好ましい。
【００２０】
開封タブ５０ａを保持して捲り上げると、蓋材５０は開封タブ５０ａの部分を始点として容器のフランジから剥離し始める。残留部３０ａ及び３０ｂの先端部（湾曲部近傍）は、シーラント層３を介して容器のフランジに接着されているため、蓋材５０の剥離がフルカット６０ａ及び６０ｂ（又は、裏ハーフカット４０ａ、４０ｂ）にまで到達すると、フルカット６０ａ、６０ｂ（又は、裏ハーフカット４０ａ及び４０ｂ）に沿って蓋材５０が剪断され、残留部３０ａ及び３０ｂを残してフランジからの剥離が進行し、図４に示すように開口部５０ｅが形成される。容器から剥離する側を開封片と称する。
【００２１】
蓋材５０は、表ハーフカット２０ａ及び２０ｂに沿って剪断される際に基材１０がしごかれ、剛性が低下する。表ハーフカット２０ａ及び２０ｂは、それぞれ２本の直線部を備えているため、基材１０のしごきは各２カ所ずつの計４カ所で発生する。これにより、開封片は残留部３０ａ及び３０ｂと隣接していた各部分に剛性低下領域が形成され、しごき効果が従来構造よりも顕著に表れる。
【００２２】
直径９６ｍｍの円形開口を塞ぐ場合、基材１として坪量☆☆ｇ／ｍ2のさらしクラフト紙、樹脂フィルム２として直線カット性のあるＰＥＴフィルムを用い、表ハーフカット２０ａ、２０ｂの間隔を☆☆ｍｍとし、残留部の幅を☆☆ｍｍとすれば、しごき効果によって基材１の剛性が低下し、開口部５０ｅを露出した状態に維持できる。
【００２３】
開口部５０ｅを塞ぐ場合には、開封片５０ｂを開封方向とは逆方向に倒して、開封タブ５０ａを折り曲げて容器のフランジに引っかける。この際に、残留部の縁が開封片の縁に引っかかり、開口部５０ｅを塞いだ状態に維持されやすくなる。
【００２４】
蓋材５０を容器から取り外す際には、開封タブ５０ａと対向する位置に設けられた取り外しタブ５０ｚを保持して捲り上げることにより、蓋材５０全体が容器から取り外される。
【００２５】
上記のように本実施形態にかかる蓋材は、デッドホールド性の低い基材を用いても、開口部を露出したままの状態に保つことができる。
【００２６】
なお、図５（ａ）に示すように、表ハーフカット２０ａ及び２０ｂの終端近傍に、開封方向に凸となる曲率を持つ表ハーフカットを切断防止用ハーフカットとして設けておけば、図５（ｂ）に示すように、表ハーフカット２０ａ、２０ｂに沿った蓋材の剪断がここで停止させることができ、蓋材５０が完全に分断されてしまうことを防止できる。なお、切断防止用ハーフカットは、図５（ｃ）に示すように、２本の直線部で一つであっても良い。これは、他の実施形態についても同様である。
【００２７】
〔第２の実施形態〕
本発明を好適に実施した第２の実施形態について説明する。
図６に本実施形態にかかる蓋材の構成を示す。蓋材５０は、第１の実施形態とほぼ同様の構成であるが、表ハーフカット２０ａ及び２０ｂは、湾曲部が直線部の幅以上に張り出して、略円形となっている。図示するように、表ハーフカット２０ａは、湾曲部全体が容器フランジの上に位置し、その一部はフランジの外に突出している。フランジにかかる部分では表ハーフカットの代わりにフルカット又は裏ハーフカットが形成されている。
【００２８】
開封タブ５０ａを保持して捲り上げ、蓋材５０の剥離が表ハーフカット２０ａ及び２０ｂにまで到達すると、第１の実施形態と同様に、表ハーフカット２０ａ及び２０ｂに沿って蓋材５０が剪断され、残留部３０ａ及び３０ｂを残してフランジからの剥離が進行し、図７に示すように開口部５０ｅが形成される。
【００２９】
この際、基材１０のしごきが計４カ所で発生し、開封片の残留部３０ａ及び３０ｂと隣接していた各部分に剛性低下領域が形成され、しごき効果が従来構造よりも顕著に表れることは、第１の実施形態と同様である。
【００３０】
湾曲部の一部をフランジの外へ突出させたことにより、図８に示すように、残留部３０ａ、３０ｂの先端部分（湾曲部に囲まれた略円形部分）を容易に折り返して立てられるようになっている。
【００３１】
開口部５０ｅを塞ぐ場合には、開封片５０ｂを開封方向とは逆方向に倒して、開封タブ５０ａを折り曲げて容器のフランジに引っかける。この際に、残留部の縁が開封片の縁に引っかかり、開口部５０ｅを塞いだ状態に維持されやすくなる。
さらに、図９に示すように残留部３０ａ及び３０ｂの先端部分を折り返すことで、開口部５０ｅを塞いだ状態で開封片が維持される。すなわち、本実施形態にかかる蓋材は、リクローズ性に優れる。
【００３２】
このように、本実施形態にかかる蓋材は、第１の実施形態と同様に、デッドホールド性の低い基材を用いても、開口部を露出したままの状態に保つことができる。
【００３３】
〔第３の実施形態〕
本発明を好適に実施した第３の実施形態について説明する。
図１０に本実施形態にかかる蓋材の構成を示す。蓋材５０は、第１の実施形態とほぼ同様であるが、略Ｕ字状の表ハーフカットを計４本（２０ａ、２０ｂ、２０ｃ、２０ｄ）備えている。フランジにかかる部分では表ハーフカットの代わりにフルカット又は裏ハーフカットが形成されている。
【００３４】
図１１に示すように、本実施形態にかかる蓋材５０は、開封時に剛性低下領域が計八つ形成される。これにより、第１の実施形態と比較して開封片の剛性低下効果がより顕著に得られる。
【００３５】
この他については第１の実施形態と同様であるため、重複する説明は省略する。
【００３６】
なお、上記実施形態は本発明の好適な実施の一例であり、本発明はこれらに限定されることはない。
例えば、上記各実施形態においては、円形の容器開口部を塞ぐ蓋材を例に説明を行ったが、図１２に示すように角形の容器開口部を塞ぐ蓋材であっても良いことは言うまでもない。
また、本発明は湯切り穴を形成可能な蓋材にも適用可能である。湯切り穴を形成可能とするためには、図１３に示すように、蓋材５０の開封タブ５０ａと対向する位置を表ハーフカットで囲み、囲んだ領域内に裏ハーフカット（シーラント層側から切り込まれ樹脂フィルムを貫通しないハーフカット）を少なくとも一つ形成すればよい。
また、いずれの実施形態においても、取り外しタブを備えた構成としても良いし、備えない構成としても良い。
このように、本発明は様々な変形が可能である。
【図面の簡単な説明】
【００３７】
【図１】本発明にかかる蓋材の基となる積層構造体の構成を示す図である。
【図２】本発明を好適に実施した第１の実施形態にかかる蓋材の構成を示す図である。
【図３】曲げ部を屈曲形状とした蓋材の構成を示す図である。
【図４】第１の実施形態にかかる蓋材を開口部を露出させた形状で維持した状態を示す図である。
【図５】切断防止用のハーフカットを示す図である。
【図６】本発明を好適に実施した第２の実施形態にかかる蓋材の構成を示す図である。
【図７】第２の実施形態にかかる蓋材を開口部を露出させた形状で維持した状態を示す図である。
【図８】残留部の先端を折り返した状態を示す図である。
【図９】折り返した残留部で開封片の浮き上がりを抑えた状態を示す図である。
【図１０】本発明を好適に実施した第３の実施形態にかかる蓋材の構成を示す図である。
【図１１】第３の実施形態にかかる蓋材を開口部を露出させた形状で維持した状態を示す図である。
【図１２】角形の開口部を塞ぐための蓋材の構成例を示す図である。
【図１３】湯切り穴を形成可能な蓋材の構成例を示す図である。
【符号の説明】
【００３８】
１    基材
２    樹脂フィルム
３    シーラント層
２０、２０ａ、２０ｂ、２０ｃ、２０ｄ    表ハーフカット
３０ａ、３０ｂ、３０ｃ、３０ｄ    残留部
４０、４０ａ、４０ｂ    裏ハーフカット
５０    蓋材
５０ａ    開封用タブ
５０ｅ    開口部
５０ｚ    取り外しタブ
６０、６０ａ、６０ｂ    フルカット
【図１】
2008150065.tif 000003
【図２】
2008150065.tif 000004
【図３】
2008150065.tif 000005
【図４】
2008150065.tif 000006
【図５】
2008150065.tif 000007
【図６】
2008150065.tif 000008
【図７】
2008150065.tif 000009
【図８】
2008150065.tif 000010
【図９】
2008150065.tif 000011
【図１０】
2008150065.tif 000012
【図１１】
2008150065.tif 000013
【図１２】
2008150065.tif 000014
【図１３】
2008150065.tif 000015